Podtech/llm-jp-corpus-v4-ja_patent huggingface dataset:
(57)【要約】      （修正有）【課題】点灯回路と電源を極小型化して繭玉内に装着して本来の繭玉のかたちで灯りが点き繭玉の一部でも欠損していない繭玉灯りを提供する。【解決手段】（１）繭玉の一部を切り開き点灯回路を装着させた後、その部分を接着剤で塞いで元の形にする。（２）蚕の蛹化中に繭の中に点灯回路と電源を仕込んで繭玉にしたもので光源点灯のＯＮ／ＯＦＦのスイッチングを外部からの磁気または電波にて行う。【選択図】図１
0003201019.tif 000002
【実用新案登録請求の範囲】
【請求項１】
繭玉単体の姿で繭玉の中で灯りが点く
【請求項２】
点灯回路と電源は繭玉の中に設置し外部から磁気・電波でＯＮ／ＯＦＦのスイッチングを行なう
【請求項３】
外部から繭内の蓄電池に充電する機構
【考案の詳細な説明】
【技術分野】
【０００１】  本発明は、本来繭糸を取りだすための蚕の蛹化中に灯りとなる点灯回路を組み込んだ繭玉灯りに関するもの
【背景技術】
【０００２】  従来のものは、繭玉を切り開いた部分にリード電線で導かれた点灯回路を装着し繭玉の外側に供給電源を施したもの
【考案の概要】
【考案が解決しようとする課題】
【０００３】  本考案は、以上のような従来の欠点に鑑み、電源と光源を極小型化して繭玉に装着して本来の繭玉のかたちで灯りが点くようにする
（１）繭玉の一部を切り開き点灯回路を装着させた後、その部分を接着剤で塞いだもの
（２）蚕の蛹化中に繭の中に点灯回路を仕込んで繭玉にしたもので
スイッチングは外部からの磁気または電波にておこなう仕組みにて、繭玉の一部でも欠損していないものを提供することを目的とする
【課題を解決するための手段】
【０００４】  上記目的を達成するために、本考案は外部からＯＮ／ＯＦＦのスイッチングができる点灯回路と繭玉に繭糸の一部切り開き挿入するか、一歩改良して蛹化中に点灯回路を繭玉内に仕込むことで繭灯りを構成している
【考案の効果】
【０００５】  本まゆ灯りは、繭玉の形で灯りが点けられる
以上の説明から明らかなように、本発明にあって次に列挙する効果が得られる
（１）繭玉単体の姿で灯りが点く
したがって繭玉単体で繭灯りとして単独商品として生まれ変わる
従来は絹糸そして染織する工程を経てはじめて商品となっていた
（２）繭玉の内部に点灯回路と電源を仕込んで外部からの信号（磁気・電波）により点灯のＯＮ／ＯＦＦスイッチングを行っている
【図面の簡単な説明】
【０００６】
【図１】  本考案品  繭の中に点灯回路を挿入
【図２】  従来品    外部から点灯電源を供給のため電線が必要
【図１】
0003201019.tif 000003
【図２】
0003201019.tif 000004
【手続補正書】
【提出日】平成27年8月27日(2015.8.27)
【手続補正１】
【補正対象書類名】実用新案登録請求の範囲
【補正対象項目名】全文
【補正方法】変更
【補正の内容】
【実用新案登録請求の範囲】
【請求項１】
繭玉単体の姿で繭玉の中で灯りが点くもので電源と光源の点灯ＯＮ／ＯＦＦのスイッチを行う点灯回路を繭玉内に設置したことを特徴とする繭玉灯り。
【請求項２】
繭玉内のスイッチをＯＮ（接続）にしてしまうと点灯し続けてしまうので、外部からの磁気または電波を用いて光源点灯のＯＮ（接続）やＯＦＦ（切断）を行なうことを特徴とする請求項１に記載している繭玉灯り。
【請求項３】
繭玉内の電源部に充電する機構を有することを特徴とする請求項１に記載している繭玉灯り。
(57)【要約】      （修正有）【課題】駐車設備に簡単に設置でき、誘導電流装置により自動車の充電を簡単に行い、深夜電力やソーラー発電時の余剰電力を利用する自動車の自動充電装置を提供する。【解決手段】プラグイン充電方式の自動車に充電するために駐車スペースに設置する自動充電装置であって、自動車は、下部中央に受電器を有するとともに、自動車は、受電器に誘導用赤外線発光装置を有し、自動充電装置は受電器に電力を供給することができる給電器と、誘導用赤外線発光装置が発する赤外線を感知することにより受電器の位置を見つけ出す赤外線感知装置と、給電器を見つけ出された位置に移動する駆動装置を有し、駐車スペースに自動車が駐車されたとき、給電器を受電器に自動的にドッキングさせ自動的に充電操作を行う。【選択図】図３
0003201018.tif 000002
【実用新案登録請求の範囲】
【請求項１】
誘導電流装置によりプラグイン充電方式の自動車の充電を自動充電装置で簡単に行う、
自動充電装置は赤外線感知装置等により作動、位置補正を行い車両中央下部に設置した受電器に給電器をドッキングさせ充電操作を行う
【考案の詳細な説明】
【技術分野】
【０００１】
本考案は、誘導電流装置を利用した自動充電装置で、赤外線感知装置等の制御による自律走行式装置により自動車に充電をする装置です
【背景技術】
【０００２】
本考案の場合、PHV  PHEV  EV自動車の所有者が自宅で毎日充電する際、充電を忘れたり設定充電時間を間違えて、いざ出発の時に自動車の必要充電量不足を防止する装置です
【０００３】
考案を実施するためには、まず  PHV  PHEV  EV自動車の中央下部に誘導用赤外線等発光装置等つきの誘導電流受電装置を付け、車庫内の駐車スペースに並行又は垂直に赤外線等感知装置等つきの充電装置を設置し前後のタイヤの間から充電器が車の下部に潜り込み  赤外線感知装置等の誘導により受電器の位置を見つけ出し給電器と受電器がドッキングして充電する
【０００４】
タイマーを利用して夜間電力や、ソーラー発電の電力を利用し充電する
【先行技術文献】
【特許文献】
【０００５】
【特許文献１】特許２０１１−０５０１７７
【考案の概要】
【考案が解決しようとする課題】
【０００６】
解決しようとする問題点は充電忘れと充電量不足の解消
【課題を解決するための手段】
【０００７】
本考案は、所定の駐車場に駐車さえすれば勝手に自動充電装置が働いて充電してくれる事
【考案の効果】
【０００８】
本考案は、設置場所を自由に選べるので  旅館やホテルなどの車止めの付いた駐車場やコイン駐車場の車止めに内蔵して設置して長時間の駐車客のニーズに対応して自動車に簡単に充電できる。ＥＶ車利用のカーシェアリングの駐車場に設置した自動充電装置により次の利用者に渡す際の充電、シニアドライバーの充電忘れと充電量不足の解消等  駐車場に設置した自動充電装置によりPHV  PHEV  EV自動車の所有者が次の利用時の充電、自宅や旅行先で、宿泊や睡眠時間帯に所定の駐車場に駐車さえすれば、タイマー等の利用により勝手に充電装置が働いて一番経済的な充電時間帯や方法で一定時間充電してくれる
【図面の簡単な説明】
【０００９】
【図１】駐車場内の自動充電装置と自動車との位置的な関係
【図２】コイン駐車装置内蔵型の自動充電装置と自動車との位置的な関係
【図３】自動充電装置の詳細と作動状態
【考案を実施するための形態】
【００１０】
本考案は駐車場内の車の駐車スペースで車と平行や垂直に自動充電装置を設置する
【図１】
0003201018.tif 000003
【図２】
0003201018.tif 000004
【図３】
0003201018.tif 000005
【手続補正書】
【提出日】平成27年9月9日(2015.9.9)
【手続補正１】
【補正対象書類名】実用新案登録請求の範囲
【補正対象項目名】全文
【補正方法】変更
【補正の内容】
【実用新案登録請求の範囲】
【請求項１】
プラグイン充電方式の自動車に充電するために駐車スペースに設置する自動充電装置であって、
前記自動車は、下部中央に受電器を有するとともに、前記自動車は、前記受電器に誘導用赤外線発光装置を有し、前記自動充電装置は前記受電器に電力を供給することができる給電器と、前記誘導用赤外線発光装置が発する赤外線を感知することにより前記受電器の位置を見つけ出す赤外線感知装置と、前記給電器を見つけ出された前記位置に移動する駆動装置を有し、前記駐車スペースに前記自動車が駐車されたとき、前記給電器を前記受電器に自動的にドッキングさせ自動的に充電操作を行うことを特徴とする自動充電装置。
【手続補正３】
【補正対象書類名】明細書
【補正対象項目名】０００１
【補正方法】変更
【補正の内容】
【０００１】
本考案は、丸型コンセント装置を使用した自動充電装置で、赤外線感知装置の制御による自律走行式装置により自動車に充電をする装置です
【手続補正４】
【補正対象書類名】明細書
【補正対象項目名】０００３
【補正方法】変更
【補正の内容】
【０００３】
考案を実施するためには、まず  PHV  PHEV  EV自動車の中央下部に誘導用赤外線発光装置つきの受電用丸型コンセント装置を付け、駐車スペースに並行又は垂直に赤外線等感知装置つきの充電装置を設置し前後のタイヤの間から充電器が車の下部に潜り込み  赤外線感知装置の誘導により受電器の位置を見つけ出し給電器と受電器がドッキングして充電する                      
【手続補正５】
【補正対象書類名】明細書
【補正対象項目名】００１０
【補正方法】変更
【補正の内容】
【００１０】
【図１】駐車場内の自動充電装置とコイン駐車装置内蔵型の自動充電装置と自動車との位置的な関係
【図２】自動充電装置の詳細と作動状態
【図３】自動充電器の詳細と作動図、丸型コンセントの詳細図
【手続補正６】
【補正対象書類名】図面
【補正対象項目名】図３
【補正方法】変更
【補正の内容】
【図３】
0003201018.tif 000006
(57)【要約】      （修正有）【課題】記念日にプレゼントすることができ、記念日のメッセージを形成することができる記念用人工歯を提供する。【解決手段】記念日にプレゼントする記念用人工歯であって、人工歯の側面に文字、記号及び／又は絵柄を形成する。セラミック又は酸化ジルコニウムで形成される。着色用陶材又はレーザー光で文字、記号及び／又は絵柄を形成する。【選択図】図１
0003201097.tif 000002
【実用新案登録請求の範囲】
【請求項１】
記念日にプレゼントする記念用人工歯であって、
側面に文字、記号及び／又は絵柄を形成したことを特徴とする記念用人工歯。
【請求項２】
セラミック又は酸化ジルコニウムで形成される、ことを特徴とする、請求項１に記載の記念用人工歯。
【請求項３】
着色用陶材又はレーザー光で前記文字、前記記号及び／又は前記絵柄を形成することを特徴とする、請求項１又は請求項２に記載の記念用人工歯。
【考案の詳細な説明】
【技術分野】
【０００１】
本考案は、記念日にプレゼントする記念用人工歯に関する。本考案は、特に側面に文字、記号及び／又は絵柄を形成したことを特徴とする記念用人工歯に関する。
【背景技術】
【０００２】
特許文献１では、支持板の裏面に、電源に装入する差し込みプラグを有するトランスを固定し、該トランスにハート形蛍光灯の両端を接続し、蛍光灯で区画された領域を鏡面とし、該鏡面に任意の文字、記号、絵柄等を形成可能としたことを特徴とする結婚記念品に関する技術を開示している。
【先行技術文献】
【特許文献】
【０００３】
【特許文献１】実公平８−８７０１号公報
【考案の概要】
【考案が解決しようとする課題】
【０００４】
しかしながら、特許文献１に開示されている技術では、結婚９周年の陶器婚式や結婚２０周年の磁器婚式に対応する陶器製や磁器製の結婚記念品にすることができない場合がある。また、特許文献１には、記念日にプレゼントすることのできる記念用人工歯に関する技術の記載がない。
【０００５】
本考案は、記念日にプレゼントすることができる記念用人工歯であって、人工歯の側面に記念のメッセージとして文字、記号及び／又は絵柄を形成したことを特徴とする記念用人工歯を提供することを目的とする。
【課題を解決するための手段】
【０００６】
上記課題を解決するために、本考案の一つの実施形態は、記念日にプレゼントする記念用人工歯であって、側面に文字、記号及び／又は絵柄を形成したことを特徴とする記念用人工歯を提供する。
【０００７】
本考案の他の実施形態は、上記の記念用人工歯であって、セラミック又は酸化ジルコニウムで形成される、ことを特徴とする記念用人工歯であってもよい。
【０００８】
本考案の他の実施形態は、上記のいずれか１つの記念用人工歯であって、着色用陶材又はレーザー光で前記文字、前記記号及び／又は前記絵柄を形成することを特徴とする記念用人工歯であってもよい。
【考案の効果】
【０００９】
本考案に係る記念用人工歯によれば、記念日にプレゼントすることができる記念用人工歯であって、人工歯の側面に記念のメッセージとして文字、記号及び／又は絵柄を形成することができる。また、本考案に係る記念用人工歯によれば、結婚９周年の陶器婚式や結婚２０周年の磁器婚式に対応する陶器製や磁器製の結婚記念品にすることができる。
【図面の簡単な説明】
【００１０】
【図１】本考案の実施形態に係る記念用人工歯の一例を説明する説明図である。
【考案を実施するための形態】
【００１１】
実施形態に係る記念用人工歯（以下、「人工歯」という。）の例を用いて、本考案を説明する。なお、本考案は、以後に説明する人工歯以外でも、側面に文字、記号及び／又は絵柄を形成したことを特徴とする記念用の人工歯であれば、いずれのものにも用いることができる。なお、人工歯の素材、色、形状は、特に限定されない。また、人工歯の色は、使用者（消費者）の趣味趣向に合わせた柄のものであってもよい。
【００１２】
以後に、本考案を説明する。
【００１３】
図１を用いて、本考案の実施形態に係る人工歯の構成を説明する。ここで、図１は、本考案の実施形態に係る人工歯の一例を説明する説明図である。なお、図１に示す人工歯の構成等は一例であり、本考案は図１に示す人工歯に限定されるものではない。
【００１４】
図１に示すように、本考案に係る人工歯１００は、記念日にプレゼントする記念用の人工歯である。人工歯１００は、記念のメッセージとして、側面に文字、記号及び／又は絵柄を形成している。記念のメッセージは、日付やイニシャル、贈る言葉などであってもよい。記念のメッセージは、例えば「２０１５．４．２９ T to K」、「T to K ２０１５．４．２９」、「T to K ２０１５」、「T to K with LOVE」などであってもよい。なお、人工歯にメッセージなどを付記する方法は、着色用陶材又はレーザー光を用いた公知の技術を利用することができる。
【００１５】
本考案に係る人工歯１００の素材は、例えば結婚９周年の陶器婚式や結婚２０周年の磁器婚式に対応する陶器製（セラミックなど）や磁器製（酸化ジルコニウム、ジルコニアなど）にすることができる。これにより、本考案に係る人工歯１００によれば、結婚記念日のセレモニーの趣旨に則した形でメッセージ性の高い贈り物とすることができる。また、本考案に係る人工歯１００の素材によれば、結婚９周年の陶器婚式や結婚２０周年の磁器婚式に対応する陶器製や磁器製の人工歯とすることによって、結婚９周年や２０周年に歯（陶器や磁器）をパートナーに贈る新しい習慣を創造することができる。
【００１６】
以上のとおり、本考案に係る記念用人工歯によれば、記念のメッセージとして文字、記号及び／又は絵柄を形成した人工歯を記念日にプレゼントすることができる。また、本考案に係る記念用人工歯によれば、結婚９周年の陶器婚式や結婚２０周年の磁器婚式に対応する陶器製や磁器製の結婚記念品にすることができる。
【００１７】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００１８】
１００  ：  記念用人工歯
【図１】
0003201097.tif 000003
(57)【要約】      （修正有）【課題】座席の背もたれを倒した時の占有スペースがを少ない椅子を提供する。【解決手段】椅子の座席と脚を切り離し、脚５の上部に半円状のガイド板１と同心円の半円状のガイド板７を取り付ける。座席２の下部には半円状ガイド板１上を支点Ａとする脚８と、同心円の半円状ガイド板７上を支点Ｂとする脚９を取り付ける。ガイド板１に取り付けた、移動したらその場所で停止する事が出来るジャッキ４の手動ハンドル３を使って、半円状のガイド板１上にある座席の支点を、ＡからＡ’に、又はＡ’からＡに移動させる。この時、半円状ガイド板７上にある座席の支点も、ＢからＢ’に、又はＢ’からＢに連動して移動し、座席を前後移動、前後傾斜が同時に任意の位置に変えられる。【選択図】図４
0003201009.tif 000002
【実用新案登録請求の範囲】
【請求項１】
同心円のガイド板１に座席２を乗せ、座席の前後移動、前後傾斜が、同時に任意の位置に変えられる椅子。
【考案の詳細な説明】
【考案の詳細な説明】
【考案が解決しようとする課題】
【０００１】  従来椅子で背中の前後傾斜や、座席の前後移動できる物はあったが、この種の椅子は、前記の移動を行うと、椅子の占有スペースが広くなる問題点があった。
また椅子に長時間座っていると、憂鬱になる人がいる問題点を有していた。
【課題を解決するための手段】
【０００２】  上記目的を達成する為に、同心円のガイド板に、椅子の座席部分を乗せ、動力（図はジャッキを使った手動）で前後傾斜、前後移動が同時に出来るようにした。
【考案の効果】
【０００３】同心円のガイド板を介して座席部分を同時に前後傾斜、前後移動することで椅子の占有スペースを、少なくできる。また同時に前後傾斜、前後移動することで心臓の位置が下がり、脚部があがること等で血流に変化が起こり血流が良くなる。さらに重心の移動が大きくなる事も合わせて、憂鬱感が取れる人がいる。
【図面の簡単な説明】
【図１】  ガイド板の平面図である
【図２】  ガイド板の右側面図
【図３】  ガイド板背面図である
【図４】  ガイド板に座席を乗せた展開図である
【符号の説明】  １  座席を移動させるガイド板
２  座席
３  動力用ハンドル
４  動力用ジャッキ
５  椅子の脚
６  省略部分
【図１】
0003201009.tif 000003
【図２】
0003201009.tif 000004
【図３】
0003201009.tif 000005
【図４】
0003201009.tif 000006
【手続補正書】
【提出日】平成27年8月19日(2015.8.19)
【手続補正１】
【補正対象書類名】実用新案登録請求の範囲
【補正対象項目名】全文
【補正方法】変更
【補正の内容】
【実用新案登録請求の範囲】
【請求項１】
椅子の座席と脚を切り離し、脚（５）の上部に半円状のガイド板（１）と同心円の半円状のガイド板（７）を取り付け、座席（２）の下部に半円状のガイド板（１）と（７）の接点を支点（Ａ）と（Ｂ）とする脚（８）と（９）をそれぞれ取り付けて、ガイド板（１）に取り付けた動力源であるジャッキ（４）の手動ハンドル（３）を使って半円状のガイド板（１）上にある座席の支点（Ａ）を（Ａ）から（Ａダッシュ）に（Ａダッシュ）から（Ａ）移動させ、また半円状のガイド板（７）上にある座席の支点（Ｂ）も同時に連動して移動する事で座席（２）を前後移動、前後傾斜が同時に任意の位置にかえられるガイド板を取り付けた椅子。
【手続補正２】
【補正対象書類名】明細書
【補正対象項目名】０００２
【補正方法】変更
【補正の内容】
【０００２】  上記目的を達成する為に椅子の座席と脚を切り離し、脚（５）の上部に半円状のガイド板（１）と同心円の半円状のガイド板（７）を取り付ける。座席（２）の下部には半円状ガイド板（１）上を支点（Ａ）とする脚（８）を取り付け、同心円の半円状ガイド板（７）上を支点（Ｂ）とする脚（９）を取り付ける。ガイド板（１）に取り付けた、移動したらその場所で停止する事が出来る動力のジャッキ（４）の手動ハンドル（３）を使って、半円状のガイド板（１）上にある座席の支点（Ａ）を、（Ａ）から（Ａダッシュ）に（Ａダッシュ）から（Ａ）に移動させる、同時に同心円の半円状ガイド板（７）上にある座席の支点（Ｂ）も、支点（Ｂ）から（Ｂダッシュ）に（Ｂダッシュ）から（Ｂ）に連動して移動することになる。支点（Ａ）と支点（Ｂ）が同時移動出来る事、好む位置で停止出来る事で、座席（２）を前後移動、前後傾斜が同時に任意の位置に変えられる様にした、ガイド板を取り付けた椅子。
【手続補正３】
【補正対象書類名】図面
【補正対象項目名】全図
【補正方法】変更
【補正の内容】
【図１】
0003201009.tif 000007
【図２】
0003201009.tif 000008
【図３】
0003201009.tif 000009
【図４】
0003201009.tif 000010
(57)【要約】      （修正有）【課題】歯ブラシと舌クリーナーを一体化するにあたり、歯磨きの邪魔にならない形状の舌歯ブラシを提供する。【解決手段】歯ブラシの植毛部の背面に高さ２ｍｍ程度のＵ字型の突起をつけることにより歯磨きの邪魔にならずに舌の清掃機能を獲得させる。【選択図】図１
0003201008.tif 000002
【実用新案登録請求の範囲】
【請求項１】
歯ブラシの植毛部分の背側に２ｍｍ程度の高さのＵ字形若しくは類似の突起を付与する。
【考案の詳細な説明】
【技術分野】
【０００１】  本考案は歯ブラシ及び舌ブラシに関する。
【背景技術】
【０００２】  歯ブラシと舌ブラシを一体化して機能上最小限の形態を考案した。
【先行技術文献】
【特許文献】
【０００３】
【非特許文献】
【０００４】
【考案の概要】
【考案が解決しようとする課題】歯ブラシと舌ブラシを使い分けると手間と費用がかかる。過大な形状にすると歯を磨く時に邪魔になる。
【課題を解決するための手段】歯ブラシの植毛部の背面に舌を清掃できる形状を付与して一体化した。歯を磨く時に邪魔にならないように舌を清掃できる必要最低限な形状を考案した。
【考案の効果】歯磨きも舌の清掃も違和感なく同一のブラシで行えた。
【図面の簡単な説明】
【図１】歯ブラシヘッドの植毛部分の背面にＵ字型もしくはこれに類似した形態の２ｍｍ程度の突起をつけた状態。
【図１】
0003201008.tif 000003
【手続補正書】
【提出日】平成27年8月25日(2015.8.25)
【手続補正１】
【補正対象書類名】実用新案登録請求の範囲
【補正対象項目名】全文
【補正方法】変更
【補正の内容】
【実用新案登録請求の範囲】
【請求項１】
歯ブラシの植毛部分の背側に２ｍｍ程度の高さのＵ字型もしくは類似の突起を付与することを特徴とする舌歯ブラシ。
(57)【要約】      （修正有）【課題】水素化マグネシウムを水素発生源として内包可能であり、且つ、手に持って扱うことのできる水素発生補助具を提供する。【解決手段】連通した微小空間を有し、弾性を有する多孔体１からなり、少なくとも一部にスリット２を有し、このスリット２に水素化マグネシウム３を内包し、多孔体１に内包する水素化マグネシウム３を透水性の有る不織布で覆って、微細化した水素化マグネシウムの散乱を防止した。多孔体１の材質は、ポリウレタンフォーム、メラミンスポンジ、ゴムスポンジ、ポリオレフィンフォーム、セルローススポンジ、海綿の何れかで構成される。【選択図】図１
0003201064.tif 000002
【実用新案登録請求の範囲】
【請求項１】
連通した微小空間を有し、弾性を有する多孔体からなり、少なくとも一部にスリットを有し、このスリットに水素化マグネシウムを内包することが可能ならしめることを特徴とする水素発生補助具。
【請求項２】
前記多孔体に内包する水素化マグネシウムを透水性の有る不織布で覆って、微細化した水素化マグネシウムの散乱を防止したことを特徴とする請求項１記載の水素発生補助具。
【請求項３】
前記多孔体の材質は、ポリウレタンフォーム、メラミンスポンジ、ゴムスポンジ、ポリオレフィンフォーム、セルローススポンジ、海綿の何れかで構成されたことを特徴とする請求項１〜２に記載された水素発生補助具。
【考案の詳細な説明】
【技術分野】
【０００１】
本考案は、多孔体と水素化マグネシウムからなる水素発生補助具に関する。
【背景技術】
【０００２】
水素化マグネシウムは、マグネシウムの金属原子間の隙間に水素を保持してなる化合物であり、下記式（１）の反応式に従って水と反応して水素を放出しながら分解する性質を持つ。下記式（１）で示す加水分解反応により、水素化マグネシウムの１５．２[wt%]の水素が発生する。
ＭｇＨ２＋２Ｈ２Ｏ→Ｍｇ（ＯＨ）２＋２Ｈ２…（１）
【０００３】
水素化マグネシウムを水と反応させて発生させた水素を水溶液に溶解させることにより、還元性を有する浴用剤及び化粧料として利用できる。
【０００４】
水素を水に溶解させると水の酸化還元電位が還元サイドに低下することが知られている。このような還元性水性組成物は抗酸化作用があるため人体の皮膚を通じて体内に取り込めば、悪玉活性酸素のみに作用しこれを消去して健康に資すること、あるいは化粧水等のスキンケア用品に用いれば皮膚の老化を防止する作用があることなどが特許文献１に開示されている。
【０００５】
また、特許文献２において微粒子化した粉末状の水素化マグネシウムは、水との反応によって、水素を再現性よく大量に安定して発生させることができるとしている。
【先行技術文献】
【特許文献】
【０００６】
【特許文献１】特開２０００−１１９１６１号公報
【特許文献２】特開２０１２−１７１８７１号公報
【考案の概要】
【考案が解決しようとする課題】
【０００７】
しかしながら、以上の技術によれば、前記水素化マグネシウムを微粒子化して利用することにより、個々の微粒子が散乱した状態で、それぞれが一気に水と接してしまうことにより、水素発生源が散乱してしまうということである。
【０００８】
また、水素化マグネシウムは水と反応後は水酸化マグネシウム＝Ｍｇ（ＯＨ）２ となり水に溶けきらずに残ってしまうので、微粒子化した状態で水中に浮遊する為、前記浮遊物が皮膚へ接触することにより、皮膚にざらつき感を与え、肌への触感を損ねる。
【０００９】
本発明は、上記の問題を解消するためになされたものであり、水素発生源を集中させることが可能であり、水素化マグネシウムの散乱を防止することが可能な、水素化マグネシウムと多孔体からなる水素発生補助具を提供することを目的とする。
【課題を解決するための手段】
【００１０】
上記目的を達成するため、本考案による水素発生補助具は、連通した微小空間を有し、弾性を有する多孔体からなり、少なくとも一部にスリットを有し、このスリットに水素化マグネシウムを内包することが可能ならしめることを特徴としている（請求項１）。
【００１１】
水素化マグネシウムを透水性の有る不織布で覆っていることが望ましい（請求項２）。
【００１２】
多孔体の材質は、ポリウレタンフォーム、メラミンスポンジ、ゴムスポンジ、ポリオレフィンフォーム、セルローススポンジ、又は、海綿で構成されていることが望ましい（請求項３）。
【考案の効果】
【００１３】
請求項１の考案によれば、連通した微小空間を有した多孔体に水素化マグネシウムを内包させることにより、水素発生源である水素化マグネシウムを集中的に保持させることが可能であり、前記多孔体の大きさ形状を考慮することにより、片手の手のひらの中に納まりやすく扱いやすい水素発生補助具を提供することができる。
【００１４】
請求項２の考案によれば、微細化した水素化マグネシウムの散乱を防止することが可能となる。
【図面の簡単な説明】
【００１５】
【図１】水素化マグネシウムをスリットから内包した多孔体の断面図である。
【図２】図１の部分拡大模式図である。
【図３】水素化マグネシウムを不織布で覆ったことを説明する斜視図である。
【図４】海綿に図２を内包させたことを説明する斜視図である。
【考案を実施するための形態】
【００１６】
以下、本発明の実施の形態について図面を参照しながら説明する。
【００１７】
図１に示すように、本考案に係る水素発生補助具は、水素化マグネシウム３を内包せしめるために、その内部ほぼ中心部までに達するスリット２を有する多孔体１で構成されている。
【００１８】
したがって、水中に浸漬することにより図２に示すように、水分４と接触した水素化マグネシウム３は加水反応により水素を発生し、多孔体内の連通した微小空間を通じ水素気泡５を表面から放出する。
【００１９】
また、前記多孔体は水分４が含まれた状態を維持できるため、大気中でも水分４がある限り水素を発生することができる。したがって、本考案に係る水素発生補助具を手に持って顔などの肌に当てることによるマッサージ効果と、水素を直接皮膚から供給することができる。
【００２０】
図３に示すセット８の構成要素となる、水素化マグネシウム３は固体ペレット状でも、予め微細化されたものでもよい。ただし固体ペレット状でも使用中に崩壊し微細化してしまうこともあるため、透水性の有る不織布６で覆うことにより微細化された水素化マグネシウム３が散乱することが防止される。
【００２１】
図４に示すように海綿７を多孔体として使用する際には、海綿７に自然に開いている孔をスリット代わりに利用し、セット８を内包することができる。
【符号の説明】
【００２２】
１  多孔体
２  スリット
３  水素化マグネシウム
４  水分
５  水素気泡
６  不織布
７  海綿
８  セット
【図１】
0003201064.tif 000003
【図２】
0003201064.tif 000004
【図３】
0003201064.tif 000005
【図４】
0003201064.tif 000006
(57)【要約】      （修正有）【課題】バルコニーや掃き出し口の屋外に脱ぎ放された履物は直射日光、雨、風に晒され劣弱となり形崩れで履物が履き難くなっていた。汚れのない外履きを体を曲げず立ったまま脱着出来るようにした履物被い具を提供する。【解決手段】履物被い部２の一部分に取っ手固定部３を設けて、取っ手固定部３に取っ手４を納め一本化した。取っ手４を持ち上げて履物被い部２を履物９へ被せたり外したりして直射日光や雨、風から履物９を守ることができる。【選択図】図１
0003201056.tif 000002
【実用新案登録請求の範囲】
【請求項１】
履物被い部２には取っ手固定部３が設けてあり取っ手固定部３へ取っ手４を納め一体化した事を特徴とした履物被い具。
【請求項２】
履物被い部２の枠部材は硬質の素材で作られていて枠上面は収縮性のある素材からなる請求項１に記載の履物被い具。
【請求項３】
下部に足置き部材を備えた事を特徴とする請求項１または請求項２に記載の履物被い具。
【請求項４】
前記履物被い部２に脱着可能な取っ手４を取り付ける事を特徴とした請求項１から３の何れかに記載の履物被い具。
【考案の詳細な説明】
【技術分野】
【０００１】
この考案は、屋外に脱ぎ置かれた履物に被せる履物被い具に関するものである。履物被い具に収納した取っ手は伸縮、取り外しが出来るようになっている履物被い具に関するものである。
【背景技術】
【０００２】
従来、バルコニー、掃き出し口などに脱ぎ放された履物は直射日光、雨、風に晒されることが度重る結果、形崩れや硬くなり足に収まり難かった。シューズボックスの上部真ん中に取っ手を取り付けたものはあったが、はきものを履く都度別に用意された棒を取っ手に差し込むようになっているので困難であった。また他に履物収納器上部真ん中に固定した取っ手のあるものは履物収納器が透明のため直射日光を浴びる事や取っ手の取り外しができず不便な欠点があった。
【先行技術文献】
【特許文献】
【０００３】
【特許文献１】特願２００１−４０２３５９（Ｐ２００１−４０２３５９）
【特許文献２】実願平３−９６３２５
【考案の概要】
【考案が解決しようとする課題】
【０００４】
１、屋外に置き放した履物は直射日光、雨、風に晒されることが度重なり劣化が進んだ。
２、外置きの履物は色あせ、埃汚れで見た目にも不快であった。
３、前記の為形崩れした履物は脱着が困難で手を添えたり体を折り曲げて履く場合があった。
【課題を解決するための手段】
【０００５】
屋外（バルコニー、掃き出し口）の履物を直射日光、雨、風で傷めない為に履物入れが必要であり、その時履物に手を添えたり体を曲げる事無く履物の脱着を容易にしたいと考えた履物被い具である。履物被い部２の一部分に取っ手固定部３を設けて、取っ手固定部３に納めた取っ手４を持って履物にかぶしたり外したりする履物被い具。
【考案の効果】
【０００６】
外置きの履物に履物被い具を被せると直射日光、雨や風に影響されないので色あせ、埃汚れ、形崩れを遅らせることができ脱着の時気持ち良くまた履物被い具の取っ手を持ち上げ立ったまま履物を被ったり外したり出来る。取っ手は履物被い具から取り外しが可能なので足元のふらつき防止に役立つ。
【図面の簡単な説明】
【０００７】
【図１】図１は本考案実施例を示す図である。
【図２】図２は本考案履物被い具から取っ手を外した図である。
【図３】図３は本考案履物被い具のＡ−から−Ａの切断図である。
【図４】図４は本考案  実施例の履物被い具底部の図である。
【図５】図５は履物被い具が四角形の実施例を示す図である。
【考案を実施するための形態】
【０００８】
以下、本考案実施の形態について説明する。図１のように本案は、履物被い具１の履物被い部２と取っ手固定部３に取っ手４が納まり一体になって構成されている。取っ手４を持ち上げて履物被い部２を履物８へ被せたり外したりして直射日光や雨、風から履物８を守ることができる。図１、図２で示すように取っ手４は継ぎ手５により伸縮が可能であり図２のように取っ手４が不要な時また杖に利用する時は取っ手固定部３より取っ手４を取り外す事ができる。取っ手固定部３の素材は収縮性に富む例えばゴムみたいな素材で作成する。取り外すとき履物被い部２が動かない様にする事が重要で取っ手固定部３から取っ手４を抜き易くする為に足置き６を踏み乍ら取っ手４を持ち上げると容易に外れる。図３は図１、図２の履物被い部２のＡ−から−Ａの切断図である。図４は履物被い部枠部材７の図であり履物被い部２は空洞であって取っ手固定部３には底部８がある。図５は履物被い部２を四角型で実施した場合を示した図である。履物被い部２は側面に蒸れ防止の空気穴１０があり、多少高さのある履物でも対応できるように硬質の素材で作った枠部材上面に収縮性のある部材を被う事が望ましく耐候性に優れたシリコーン樹脂のような粘りの利くものがよいと思う。取っ手４はふらつき防止に相応しい軽くて頑丈で頼りがいのある素材アクリル樹脂、金属などが良いと思う。
図１から図５までのなかで履物９は履物被い部２の使用中の様子を示している
【産業上の利用可能性】
【０００９】
今、私が歳を重ねてえっ！と驚くふらつきに母を思いだす。杖のお世話にならなった母ですがヨレヨレの外履きを履こうとして度々よろけていた姿だ。外置きの履物が冷遇されていたから直射日光、雨、風に晒されて色あせ、劣弱により形崩れで硬く足にフイットし難かった事に自分がこの年になって気ずいた。履物に被いをかぶせることで劣化を遅らせる事ができて其処に取り付けた取っ手が体の支えになり躓きやふらつきを助けることができる。このような履物被い具は生活上利用価値があると考えます。
【符号の説明】
【００１０】
１  履物被い具
２  履物被い部
３  取っ手固定部            
４  取っ手          
５  取っ手の継ぎ手        
６  足置き
７  履物被い部枠部材        
８  取っ手固定部の底部
９  履物
１０  空気穴
【図１】
0003201056.tif 000003
【図２】
0003201056.tif 000004
【図３】
0003201056.tif 000005
【図４】
0003201056.tif 000006
【図５】
0003201056.tif 000007
(57)【要約】      （修正有）【課題】一般住宅やマンション等集合住宅のベランダにおいて、外部から覗き見されないように目隠しはしたいと同時に風は通したい、また、冬の寒風は防ぎたいが外が見えるようにもしたい等の要望に随時応える風除・目隠し装置を提供する。【解決手段】水平方向に回転させることが出来るように回転軸３を端に設けた、不透明、半透明、透明、並びに網目状など、材質の異なる縦長の短冊状の板等２を、２枚乃至６枚重ねたユニットを一列に並べ設置する。【選択図】図３
0003201060.tif 000002
【実用新案登録請求の範囲】
【請求項１】
水平方向に回転させることが出来るように回転軸を端に設けた縦長の短冊状の板等を一ユニットとして、これを一列に並べ、これらを回転させ開閉することにより、必要に応じて風除並びに目隠しの状態を自由に選択することを可能とするベランダ等の風除・目隠し装置
【請求項２】
請求項１におけるユニットとして、短冊状の板等を２枚乃至６枚重ねて使用・設置するベランダ等の風除・目隠し装置
【請求項３】
請求項１または請求項２におけるユニットの幅を一定にせず、必要または好みに応じてそれぞれ違う幅のユニットを使用・設置するベランダ等の風除・目隠し装置
【考案の詳細な説明】
【技術分野】
【０００１】
本考案は、住宅のベランダ等において、風が直接吹き込むことを防いだり、外部からの覗き等を防ぐことを、必要に応じて可能とすることが出来る装置に関するものである。
【背景技術】
【０００２】
従来、一般住宅やマンション等集合住宅のベランダの目隠しとして、すだれやみすを応急的に使用するか、又は、板やコンクリートで永久的に封鎖することが行われてきた。すだれやみすは強風に弱く、時には邪魔になる。板やコンクリートは通風や見通しを永久的に妨げる。
【０００３】
このことを解消するために、短冊状の板を立てた状態として横に並べ、この短冊状の板を歯車やベルトを使用していっせいに、かつ水平に回転させる装置が既に考案されている。（先行技術文献）
【先行技術文献】
【特許文献】
【０００４】
【特許文献１】特開平８−２１０５７
【非特許文献】
【０００５】
【非特許文献１】実用新案登録第３０８５６２９号
【０００６】
【非特許文献２】実用新案登録第３０９３９９７号
【考案の概要】
【考案が解決しようとする課題】
【０００７】
しかしながら、先行技術は、いずれも短冊状の板の中心を軸として回転させる構造のため、その板は一箇所に一枚しか使用できない欠点がある。そのため、これらの方法では通風又は見通しのどちらか一方を選択するしかなかった。
【課題を解決するための手段】
【０００８】
本考案は、同じく短冊状の板等を使用するが、その回転軸を短冊状の板等の端に設けたことを特徴とする。
【考案の効果】
【０００９】
本考案においては、回転軸を短冊状の板等の端に設けたことで、複数枚の短冊状の板等を使用することを可能とし、且つ又、それぞれの短冊状の板等を単独で、あるいは同時に二枚以上活用することを可能とするという利点がある。
【００１０】
したがって、不透明、半透明、透明、並びに網目状など、材質の異なる複数の短冊状の板等を同時に使用し、必要に応じて単独で、又、複数の短冊状の板等を組み合わせて活用することにより、風除並びに目隠しの様々な状態を選択することが可能となる。
【００１１】
さらに、短冊状の板等に色付けし、絵を描き、又、文字を書くなどして、これを趣味や春夏秋冬等に応じて使い分けることも可能となる。
【図面の簡単な説明】
【００１２】
【図１】図１は本装置を正面から見た場合の図である。
【図２】図２は短冊状の板等を使用する場合の基本形概念図である。
【図３】図３は短冊状の板等を同方向に２枚使用した場合のユニットにおける設置及び活用概念図である。（実施例１）
【図４】図４は短冊状の板等を同方向に３枚使用した場合のユニットにおける設置及び活用概念図である。（実施例２）
【図５】図５は短冊状の板等を向い合わせに２枚使用した場合のユニットにおける設置概念図である。（実施例３）
【図６】図６は短冊状の板等を向い合わせに３枚使用した場合のユニットにおける設置概念図である。
【図７】図７は短冊状の板等を向い合わせに４枚使用した場合のユニットにおける設置概念図である。
【図８】図８は短冊状の板等を向い合わせに６枚使用した場合のユニットにおける設置概念図である。（実施例４）
【図９】図９は短冊状の板等の幅を一様にしない場合の基本形概念図である。
【考案を実施するための形態】
【００１３】
回転軸を短冊状の板等の端に設け、それを同じ向き、又は向い合わせに、軸の位置を若干ずらして配置したユニットを並べて使用することを特徴とする。
【実施例１】
【００１４】
図３は、ユニットとして短冊状の板等を同方向に２枚使用した場合の、それぞれ単独で、又、同時に２枚活用する場合の図である。
【実施例２】
【００１５】
図４は、ユニットとして短冊状の板等を同方向に３枚使用した場合の、それぞれ単独で、また、同時に２枚以上活用する場合の図である。
【実施例３】
【００１６】
図５は、ユニットとして短冊状の板等を向い合わせに２枚使用した場合の図である。
【実施例４】
【００１７】
図８は、ユニットとして短冊状の板等を向い合わせに６枚使用した場合の図である。
【符号の説明】
【００１８】
１    枠
２    短冊状の板等
３    軸
【図１】
0003201060.tif 000003
【図２】
0003201060.tif 000004
【図３】
0003201060.tif 000005
【図４】
0003201060.tif 000006
【図５】
0003201060.tif 000007
【図６】
0003201060.tif 000008
【図７】
0003201060.tif 000009
【図８】
0003201060.tif 000010
【図９】
0003201060.tif 000011
(57)【要約】      （修正有）【課題】ペチコートとパンティーを一体としたような、下半身を締め付けない、穿いていても穿いていない感覚の、今までにない魔法のような女性用下着を提供する。【解決手段】筒状布６の上端にウエストゴム１を形成し、筒状布６の下端中央の股下３を縫合せ部７にて縫合して二本の足出口２を形成するとともに、股下３が着用者８の局部に触れないよう、十分な長さを保つように形成する。【選択図】図１
0003201022.tif 000002
【実用新案登録請求の範囲】
【請求項１】
筒状布の一端にウエストゴムを形成し、同筒状布の下端中央の股下を縫合せ部にて縫合して二本の足出口を形成するとともに、股下が着用者の局部に触れないよう、十分な長さを保ち形成されていることを特徴とする女性用下着。
【考案の詳細な説明】
【技術分野】
【０００１】    この考案の女性用下着は、ペチコートとパンティーを一体としたような、下半身を締め付けない、穿いていても穿いていない感覚の、今までにない魔法のような下着に関するものである。
【背景技術】
【０００２】  アンダースカートとしてのペチコートは、スカート生地の滑りをよくするためにスカートの下に着用するものであるとともに、スカートのシルエット形成目的で使われる。普通はスカートの裾丈よりも、５ＣＭから１０ＣＭほど短く形成されている。スカートと合わせてみて、スカートの裾からペチコートがはみ出るようであれば、もう少し短い丈のペチコートが望ましいことになる。【０００３】  よく外国の女優、アーティスト、モデルや、日本の一部の芸能人達が下着をつけない、と口外しているが、一般の女性たちにもその動きが広まってきている。その理由の一つが外出先でも下半身に着用する下着の締め付けから身体を開放されたいとの願いを叶えるためである。従来このような下着の締め付けから身体を開放するものとして、該下着の上縁にフックを取付け、該下着以外の着衣或はズボン、スカートのベルトにフックを掛けて、下着のずり落ちを防止するものがある。（例えば、特許文献１参照）
【先行技術文献】
【特許文献】
【０００４】
【特許文献１】実開平６−５４７０３号公報
【考案の概要】
【考案が解決しようとする課題】
【０００５】  このような特許文献１に示されているものは、下半身に着用する下着のゴム紐等による締め付けから身体を開放するためにゴム紐を下着から省略しようとしている。つまりゴム紐にて身体を締め付けることにより起因する種々の弊害、例えば高血圧、腰板、不眠、肩こり、生理痛等を排除できる、としている。【０００６】  しかしながら、このような実開平６−５４７０３号公報に示すものは、ゴム紐による身体の締め付けから単に身体を開放するものであって、なお、一般的に使用される下着を含めて次のような不都合が生じる場合が少なくない。【０００７】  身体特に下半身を締め付けることによる血行不良が生じたり、局部への圧迫感を生じる。また、下着の上にペチコートをつけるためにゴワゴワ感が生じ、通気性が悪く蒸れたりする。さらに股下が短いので食い込み動きにくい。さらにまた、汚れやすく、下着のラインが外部に見えやすい等というような種々の問題点があった。
【課題を解決するための手段】
【０００８】  本考案の下着は、このような諸問題を解決するためになされたもので、筒状布の一端にウエストゴムを形成し、同筒状布の下端中央の股下を縫合せ部にて縫合して二本の足出口を形成するとともに、股下が着用者の局部に触れないよう、十分な長さを保つように形成したものである。
【考案の効果】
【０００９】  確かに、下着をつけない開放感は素晴らしいと思う。しかしながら人間は動かねばならないし、時には転倒するかもしれない。また、風が吹いてくるかもしれない。それならば、人に見られても恥ずかしくない下着があれば安心して行動することができる。さらに、女性の敵である冷えから、お腹を保護してくれるという大切な役目を果たし、健康面での利点も多い。
【図面の簡単な説明】
【００１０】
【図１】本考案の一実施例を示す女性用下着の正面図である。
【図２】本考案の他の実施例を示す女性用下着の正面図である。
【考案を実施するための形態】
【００１１】  本考案下着は、ウエストゴム付き筒状布の裾部分の一部を縫合わせただけの簡単な構造であるので、作製が非常に容易である。また、太った人、痩せた人などいずれにも容易に適用することができる。
【実施例】
【００１２】  以下、添付図面に従って一実施例を説明する。１は、シルク、綿、ポリエステルなどのいろんな好みの素材でできた筒状布６の上端に形成されたウエストゴムで、着用者８の体型に合わせてゴムの緩み加減を適切に調節する。なお、ウエストゴム１の代えていろんな素材による伸縮部材を用いても良い。２は、前記筒状布６の下端中央の股下３を、縫合せ部７にて縫合して形成された足出口である。【００１３】  ４は、下着の丈で、好みに応じて、自由に長くしたり短くデザインすることができる。ただし、股下３が着用者８の局部に触れないように、十分な長さを保つことが重要である。５は、筒状布６の布幅で、布の分量を少なくしたり、逆に多くすることにより、デザインの変化が生まれてくる。【００１４】  図２において、縫合せ部７は、やや弧状をしているが、図１に示すものより変化を持たせてデザイン性を向上したものである。また、９は、足出口２に形成したフリルである。５は、筒状布６の布幅で、布の分量を少なくしたり、逆に多くすることにより、デザインの変化が生まれてくる。【００１５】  このように、形成された女性用下着によれば次のような特有の効果を奏することができる。筒状布６は、スカートなどの透ける素材であっても、丈４や、布地の分量を変えることによっていろいろな下着にデザインすることが可能である。【００１６】  この下着は、直接局部に接触しないので、汚れがつきにくく、洗濯回数を減らすことができて便利である。特に入院中、旅行中など緊急的にパジャマの代用として使用でき重宝である。  また、股下３の縫合せ部７の幅を広くしたり、狭くしたり、あるいは弧状に形成することにより、下着全体のデザインを変化させることが容易であって、着用の楽しさも味わえる。【００１７】  足出口２と、股下３の丈４や、幅をいろいろと変えることによって、季節によって使い分けできる。例えば冬場には、暖かさを保ち、夏場には風が入ってきて涼しさを楽しむということができる。このように、色々なデザインを楽しむことができるのもこの下着の利点である。いずれにしても、本考案はペチコートとパンティーを一体としたような、下半身を締め付けない、穿いていても穿いていない感覚の、今までにない魔法のような下着を提供するものである。
【符号の説明】
【００１８】１    ウエストゴム
２    足出口
３    股下
４    丈
５    布幅
６    筒状布
７    縫合せ部
８    着用者
９    フリル
【図１】
0003201022.tif 000003
【図２】
0003201022.tif 000004
(57)【要約】      （修正有）【課題】音符とその意味するところの音（音程）を同時に理解するための簡便なスタンプを提供する。【解決手段】楽譜を構成する音符を五線譜とともに印字するスタンプであって、スタンプを押し下げる動きと連動させ、特定の音符に一致する音階を発生させることができ、かつ複数のスタンプを連結し、任意のメロディーを奏でる機能を持つものであり、音階発生ブロック３を押し下げた時に音符印字ブロック１に組み込まれたベロー４を圧縮し、リード５を鳴らすと同時に音符印字ブロック２の音符を印字する。ベローとリードの代わりにバネ板や弦を弾くことでも同様に音符と一致する音階を発生させてもよい。【選択図】図１
0003201024.tif 000002
【実用新案登録請求の範囲】
【請求項１】
楽譜を構成する音符を印字するスタンプであって、そのスタンプを押し下げる動きと連動させ、当該音符に一致した音階を発生させることができるとともに、複数のスタンプを連結することで、任意のメロディーを奏でる機能を持つスタンプ。
【考案の詳細な説明】
【技術分野】
【０００１】
ゴム版による図形印刷
【背景技術】
【０００２】
ゴム版などによるスタンプ（判子）を用いた図形の印刷は既存技術として広く日常的に使われており、印刷の対象となる図形、文字などとして当然楽譜またはその一部も特許文献１の示すごとく既に存在している。また、個々の数字や文字などを独立したスタンプとし、その連結による文章や数を構成し一度に印字する器具も商品化されている。その観点から、楽譜を構成する音符についても同様の配慮がされたスタンプもあり得ることは推定されるところであるが、特許文献１に示されるモノを含め広く流通するものとしては認められない。
【先行技術文献】
【特許文献】
【０００３】
【特許文献１】特開平０９−１５６１９０ は音楽用スタンプとして出願されたもので、楽譜を構成する各種記号を単独または回転式のゴム印で表わし楽譜作成を簡便に、かつ美しく行うことを意図しているが、音階やメロディー発生の仕組みと連動させることは想定されていない。
【考案の概要】
【考案が解決しようとする課題】
【０００４】
文字や数字同様、楽譜を構成する音符も視覚的に認識されるものであるが、音符をその意味するところの音と関連付けて認識することは各個人の特殊な技能、能力によるものであり、文字や数字の意味を理解するための知識とは異なる習熟が求められるところである。例えばドレミのドはその図形的な表象だけではなく耳で聞いて解る一定の音（周波数）も合わせて理解することが必要である。つまり、音符を記号として視覚的に認識すると同時にその本質的な意味である音階をイメージできなければならない。
【課題を解決するための手段】
【０００５】
音符とその意味するところの音を一体的に理解するために、音符の表示（印字）と同時にその音階に一致した音を発する装置として、日常的に広く使われているスタンプ（判子）を応用することを考案した。
【考案の効果】
【０００６】
音符を図形として表示し、またコンピュータを用い、それを読み取り自動演奏することは既存の技術であるが、これらは複雑で高価な機器になり易いことから、音符とその音を一体的に表わし関連付けられた理解を促す簡便で手軽な道具としてスタンプ（判子）と音階発生装置を組み合わせたものを考案した。これにより、音楽表現の最も基本的な要素である音符について理解を深めることができ、特に学校教育現場などで有効に使えると思われる。また、音符を連結して作られるメロディーをスタンプで印字し、演奏することができれば日本などで個人認証の器具として使われることの多いスタンプ（判子）に新たな遊びの趣を与えられ、おもちゃとしての利用も提案することができる。
【図面の簡単な説明】
【０００７】
【図１】音符印字部と、それに連動した音階発生装置
【考案を実施するための形態】
【０００８】
連結された音符を順番に押し下げることで印字と音階の発生を同時に行うのが最も簡単な構成となるが、メロディーを構成するスタンプ全体を押し下げた時、順番に音を発生させる仕組み（カム装置など）を利用することも可能である。
【実施例】
【０００９】
音階を発生させる方法として、オルゴールのバネ板やピアノの弦に相当するワイヤーを弾く、板や金属板をたたく、笛を鳴らすなどの方法が利用できるが、最も簡便で安価な方法として、ベロー（蛇腹）やダイヤフラムで発生させた空気の流れでリード（振動子）を鳴らすのが有効である。特にポリエチレン素材のブロー成形（中空成形）で作られたベローは簡便なものが出回っており、本発明による製品を幅広いユーザーに安価で提供することができる。
【産業上の利用可能性】
【００１０】
学校教育教材、一般文房具、おもちゃなどの分野での商業製品化が可能であり、音感学習、個人認証器具、新趣向の遊びの道具として利用されることが想定される。
【符号の説明】
【００１１】
１．音符印字ブロック
２．ゴムスタンプ面
３．音階発生ブロック
４．ベロー
５．リード（振動子）
６．印字例（五線譜と四分音符のド）
【図１】
0003201024.tif 000003
【手続補正書】
【提出日】平成27年9月9日(2015.9.9)
【手続補正１】
【補正対象書類名】実用新案登録請求の範囲
【補正対象項目名】請求項１
【補正方法】変更
【補正の内容】
【請求項１】
楽譜を構成する音符を五線譜とともに印字するスタンプであって、そのスタンプを押し下げる動きと連動させ、特定の音符に一致する音階を発生させることができ、かつ複数のスタンプを連結し、任意のメロディーを奏でる機能を持つものであり、音階発生ブロック（３）を押し下げた時に音符印字ブロック（１）に組み込まれたベロー（４）を圧縮し、リード（５）を鳴らすと同時に音符印字ブロック（２）の音符を印字するもので、また、ベローとリードの代わりにバネ板や弦を弾くことでも同様に音符と一致する音階を発生させることができるスタンプ。